(57)【特許請求の範囲】
【請求項１】
店舗に設置される金銭登録機あるいは商品販売登録データ処理装置の複数から送信される売上データを蓄積し、あるいは集計するサーバにおいて設定される売上データの処理システムにおいて、
複数の金銭登録機あるいは商品販売登録データ処理装置のうち、対応する金銭登録機あるいは商品販売登録データ処理装置から売上データの集計が完了している旨を受信する集計完了済信号受信手段と、
集計完了済信号受信手段において、対応する金銭登録機あるいは商品販売登録データ処理装置から集計完了済信号が受信されている金銭登録機あるいは商品販売登録データ処理装置に対し、通信状態確認信号を発信し、該対応する金銭登録機あるいは商品販売登録データ処理装置から通信状態確認信号に対する応答信号を受信して、通信応答時間を計測する通信応答時間の計測手段と、
上記通信応答時間の計測手段で計測された各金銭登録機あるいは商品販売登録データ処理装置ごとの通信応答時間を記憶し、蓄積する通信応答時間の蓄積手段と、
上記通信応答時間の蓄積手段で記憶され、蓄積された通信応答時間のうち、通信応答時間の長短に基づき、売上データの集計が完了している各金銭登録機あるいは商品販売登録データ処理装置からの売上データの送信順序を決定する売上データの送信順序の決定手段と、
上記売上データの送信順序の決定手段で決定された金銭登録機あるいは商品販売登録データ処理装置別の送信順序に基づき、対応する金銭登録機あるいは商品販売登録データ処理装置にアクセスし、売上データを取得して受信する売上データ取得コマンドの送信手段と、
上記売上データ取得コマンドの送信手段に基づき、対応する金銭登録機あるいは商品販売登録データ処理装置から売上データを受信し、順次サーバ内のメモリに記憶させる売上データの受信手段と、
を備えることを特徴とする売上データの処理システム。
【請求項２】
上記売上データの送信順序の決定手段は、上記通信応答時間の蓄積手段で記憶され、蓄積された通信応答時間のうち、各金銭登録機あるいは商品販売登録データ処理装置ごとの通信応答時間の長短の他、前回あるいはそれ以前の対応する金銭登録機あるいは商品販売登録データ処理装置との通信応答時間の長短を考慮し、これらのデータに基づき、売上データの集計が完了している各金銭登録機あるいは商品販売登録データ処理装置からの売上データの送信順序を決定することとしてなる請求項1に記載の売上データの処理システム。
【請求項３】
上記売上データの受信手段により、各金銭登録機あるいは商品販売登録データ処理装置から受信し、順次サーバ内のメモリに記憶された売上データ、あるいは各金銭登録機あるいは商品販売登録データ処理装置から受信し、順次サーバ内のメモリに記憶された売上データをさらに集計して構成され、サーバ内のメモリに記憶される集計売上データについて、アクセスがなされた場合に、予めサーバ内のメモリ内に記憶された通信端末機器および通信ＩＤからのアクセスであることを認証し、アクセス者に対する売上データあるいは集計売上データの送信の可否の決定を実行する外部送信判別手段を備えることとしてなる請求項1に記載の売上データの処理システム。
【発明の詳細な説明】
【技術分野】
【０００１】
本発明は、店舗内に設置されるＰＯＳシステムなどの商品販売登録データ処理装置や金銭登録機などに記憶される売上データを、通信手段によりサーバに送信させ、サーバにおいて送信された各商品販売登録データ処理装置あるいは金銭登録機から送信された売上データを記憶し、処理するための売上データの処理システムに関する。
【背景技術】
【０００２】
複数の店舗においてそれぞれ金銭登録機が設置される場合や、チェーンストアなどにおいて、各店舗に複数台の商品販売登録データ処理装置が設置される場合、各店舗に設置させる金銭登録機や商品販売登録データ処理装置において、一般にオペレータが締めキーを押すことにより、あるいは各金銭登録機や商品販売登録データ処理装置に内蔵されるソフトウェアに基づき、一定時間ごとに当該金銭登録機や商品販売登録データ処理装置における一日当たり、一定時間当たりの売上データが集計され、店舗本部のサーバコンピュータあるいは各店舗を統括する本部のサーバコンピータに通知するよう設定している。  
【０００３】
金銭登録機や商品販売登録データ処理装置に集計される売上データとしては、例えば１日当たりの全取引の売上金額を集計した売上データ（日計売上）、時間帯（例えば開店時間から閉店時間までを数時間ごとに分割した各時間帯）ごとの全取引の売上金額を集計した売上データ（時間帯売上）、商品の部門（例えば食品、日用品、雑貨等）ごとの全取引の売上金額を集計した売上データ（部門別売上）、商品名ごとの全取引の売上金額を集計した売上データ（品番別売上）等が存在する。こうした各売上データは、通常店舗本部のサーバコンピュータあるいは各店舗を統括する本部のサーバコンピータに送信され、サーバ側において店舗責任者等がリアルタイムで分析を行うようにしている。すなわち、サーバ側に送信された各金銭登録機や商品販売登録データ処理装置の売上データ、あるいはこれら売上データを統合して構成される集計売上データは、店舗における管理情報、会計情報として極めて価値があり、一刻も早く経営中枢において知りたい情報として位置づけられ、また外部には知られたくない秘密情報として位置づけられるところである。
【０００４】
こうして各店舗の金銭登録機や商品販売登録データ処理装置からサーバ側に送信される売上データは、サーバ側において例えば下記特許文献1に開示されるシステムにより、店舗ごとの金銭登録機や商品販売登録データ処理装置別に個別の識別番号を設定し、設定された識別番号ごとに売上データを管理、集計してデータの統括管理、セキュリティ管理を実行するようにしている。
【先行技術文献】
【特許文献】
【０００５】
【特許文献１】特開２０１２−２２６５９２号
【発明の概要】
【発明が解決しようとする課題】
【０００６】
ところで、サーバに設定される上記特許文献１に示す売上データの処理システムにおいては、各店舗の金銭登録機や商品販売登録データ処理装置から送信される売上データが、１日の終わりの閉店時間（例えば午後８時）や本部において決められた時間（１日のうち開店時間から閉店時間までを数時間ごとに分割した各時間帯の終了時間）に集中し、サーバ側はもちろん各店舗の金銭登録機や商品販売登録データ処理装置側の通信環境に負担が生じやすいものとされていた。
【０００７】
本願の発明者は、こうした不具合に着目し、簡易な手段により、例えば各店舗の金銭登録機や商品販売登録データ処理装置において集計された売上データの存否を確認し、通信環境に負担が生じることが少ない最適な状態において、売上データを各金銭登録機あるいは商品販売登録データ処理装置からサーバ側に送信させることを可能とし、さらに加えてサーバにおいて蓄積される各金銭登録機あるいは商品販売登録データ処理装置から送信された売上データあるいはこれらを集計させて構成される集計売上データを外部より安全に確認することを可能とするシステムを開発したところである。
【０００８】
すなわち、本発明は、簡易な手段により、各店舗の金銭登録機や商品販売登録データ処理装置において集計された売上データを効率的にサーバに対し受信し、さらにサーバにおいて安全に蓄積管理することを目的とするものである。
【課題を解決するための手段】
【０００９】
上記目的を達成するため、本発明の請求項１は、店舗に設置される金銭登録機あるいは商品販売登録データ処理装置の複数から送信される売上データを蓄積し、あるいは集計するサーバにおいて設定される売上データの処理システムにおいて、
複数の金銭登録機あるいは商品販売登録データ処理装置のうち、対応する金銭登録機あるいは商品販売登録データ処理装置から売上データの集計が完了している旨を受信する集計完了済信号受信手段と、集計完了済信号受信手段において、対応する金銭登録機あるいは商品販売登録データ処理装置から集計完了済信号が受信されている金銭登録機あるいは商品販売登録データ処理装置に対し、通信状態確認信号を発信し、該対応する金銭登録機あるいは商品販売登録データ処理装置から通信状態確認信号に対する応答信号を受信して、通信応答時間を計測する通信応答時間の計測手段と、上記通信応答時間の計測手段で計測された各金銭登録機あるいは商品販売登録データ処理装置ごとの通信応答時間を記憶し、蓄積する通信応答時間の蓄積手段と、上記通信応答時間の蓄積手段で記憶され、蓄積された通信応答時間のうち、通信応答時間の長短に基づき、売上データの集計が完了している各金銭登録機あるいは商品販売登録データ処理装置からの売上データの送信順序を決定する売上データの送信順序の決定手段と、上記売上データの送信順序の決定手段で決定された金銭登録機あるいは商品販売登録データ処理装置別の送信順序に基づき、対応する金銭登録機あるいは商品販売登録データ処理装置にアクセスし、売上データを取得して受信する売上データ取得コマンドの送信手段と、上記売上データ取得コマンドの送信手段に基づき、対応する金銭登録機あるいは商品販売登録データ処理装置から売上データを受信し、順次サーバ内のメモリに記憶させる売上データの受信手段と、を備えるようにしたものである。
【００１０】
また、本発明の請求項２は、上記売上データの送信順序の決定手段は、上記通信応答時間の蓄積手段で記憶され、蓄積された通信応答時間のうち、各金銭登録機あるいは商品販売登録データ処理装置ごとの通信応答時間の長短の他、前回あるいはそれ以前の対応する金銭登録機あるいは商品販売登録データ処理装置との通信応答時間の長短を考慮し、これらのデータに基づき、売上データの集計が完了している各金銭登録機あるいは商品販売登録データ処理装置からの売上データの送信順序を決定することとしてなる請求項1に記載の売上データの処理システムとしたものである。
【００１１】
また、本発明の請求項３は、上記売上データの受信手段により、各金銭登録機あるいは商品販売登録データ処理装置から受信し、順次サーバ内のメモリに記憶された売上データ、あるいは各金銭登録機あるいは商品販売登録データ処理装置から受信し、順次サーバ内のメモリに記憶された売上データをさらに集計して構成され、サーバ内のメモリに記憶される集計売上データについて、アクセスがなされた場合に、予めサーバ内のメモリ内に記憶された通信端末機器および通信ＩＤからのアクセスであることを認証し、アクセス者に対する売上データあるいは集計売上データの送信の可否の決定を実行する外部送信判別手段を備えることとしてなる請求項1に記載の売上データの処理システムとしたものである。
【発明の効果】
【００１２】
本発明に係る売上データの処理システムによれば、各店舗に存在する金銭登録機あるいは商品販売登録データ処理装置のうち、例えば１日当たりの全取引の売上金額を集計した売上データ（日計売上）、あるいは時間帯（例えば開店時間から閉店時間までを数時間ごとに分割した各時間帯）ごとの全取引の売上金額を集計した売上データ（時間帯売上）など、売上データの集計が完了している金銭登録機あるいは商品販売登録データ処理装置から送信される集計完了済に係る信号を受信し、サーバにおいては通信応答時間の計測手段により、売上データの集計が完了している対応する金銭登録機あるいは商品販売登録データ処理装置に対し、通信状態確認信号を発信し、該対応する金銭登録機あるいは商品販売登録データ処理装置から通信状態確認信号に対する応答信号を受信して、通信応答時間を計測するようにしている。さらに通信応答時間の蓄積手段は、上記通信応答時間の計測手段で計測された各金銭登録機あるいは商品販売登録データ処理装置ごとの通信応答時間を記憶・蓄積し、売上データの送信順序の決定手段において記憶され、蓄積された通信応答時間のうち、通信応答時間の長短に基づき、売上データの集計が完了している各金銭登録機あるいは商品販売登録データ処理装置からの売上データの送信順序を決定するようにしている。こうして売上データの送信順序の決定手段で決定された金銭登録機あるいは商品販売登録データ処理装置別の送信順序に基づき、次に売上データ取得コマンドの送信手段が対応する金銭登録機あるいは商品販売登録データ処理装置にアクセスし、売上データを取得して受信し、さらに売上データの受信手段が対応する金銭登録機あるいは商品販売登録データ処理装置から売上データを受信して、順次サーバ内のメモリに記憶させることを可能としている。この結果、サーバは、例えば１日の終わりの閉店時間（例えば午後８時）や本部において決められた時間（１日のうち開店時間から閉店時間までを数時間ごとに分割した各時間帯の終了時間）に一方的かつ集中して各店舗の金銭登録機や商品販売登録データ処理装置側から各々集計された売上データを受信することもなく、サーバ側はもちろん各店舗の金銭登録機や商品販売登録データ処理装置側の通信環境に負担が極めて少ないシステムの提供が可能となる。すなわち、本発明に係る売上データの処理システムは、集計完了済信号受信手段、通信応答時間の計測手段、通信応答時間の蓄積手段、売上データの送信順序の決定手段、売上データ取得コマンドの送信手段、売上データの受信手段からなる簡易な手段により、各店舗の金銭登録機や商品販売登録データ処理装置において集計された売上データを効率的にサーバに対し受信し、さらにサーバにおいて安全に蓄積管理することができるという効果がある。
【図面の簡単な説明】
【００１３】
【図１】本発明の一実施形態に係る売上データの処理システムが適用されるサーバと各店舗の金銭登録機、商品販売登録データ処理装置との通信系統のシステム構成を示すネットワーク図である。
【図２】売上データを集計する各店舗の金銭登録機、商品販売登録データ処理装置のシステム構成、サーバの各システム構成を示すブロック図である。
【図３】サーバのメモリ内に記憶・蓄積され、各店舗の金銭登録機、商品販売登録データ処理装置における集計完了済信号の受信状況、通信応答時間等をモニタしたデータを示すマトリックス図表である。
【図４】売上データの送信順序の決定するプロセスを示すフローチャートである。
【図５】サーバのメモリ内に記憶された売上データあるいは集計売上データについて、外部送信判別手段が送信の可否の決定を実行するための被認証対象に係る通信端末機器および通信ＩＤの内容を示す説明図である。
【発明を実施するための形態】
【００１４】
以下、本発明の一実施形態に係る売上データの処理システムを図１ないし図５に基づいて説明する。実施形態に係る売上データの処理システム１は、図１に示すように、例えば店舗Ａに設置される３台の金銭登録機ａ１，ａ２，ａ３、店舗Ｂに設置される２台の商品販売登録データ処理装置Ｐｏｓ１，Ｐｏｓ２、店舗Ｎに設置される２台の金銭登録機ｎ１，ｎ２を統括する本部のコンピュータサーバ２（以下単にサーバ２という）に設定されるものとされる。各店舗Ａ，Ｂ，Ｃの金銭登録機ａ１，ａ２，ａ３，ｎ１，ｎ２あるいは商品販売登録データ処理装置Ｐｏｓｂ１，Ｐｏｓｂ２は、それぞれの店舗に設置されるネットワークルータ３により、インターネット回線４に接続され、またサーバ２も同様に本部に設置されるネットワークルータ３により、インターネット回線４に接続される。こうして各店舗Ａ，Ｂ，Ｃの金銭登録機ａ１，ａ２，ａ３，ｎ１，ｎ２あるいは商品販売登録データ処理装置Ｐｏｓｂ１，Ｐｏｓｂ２は、インターネット回線４を通じてサーバ２と接続され、両者の間で通信信号の送受信を行うように設定してなる。
【００１５】
サーバ２に設定される実施形態に係る売上データの処理システム1は、集計完了済信号受信手段５、通信応答時間の計測手段６、通信応答時間の蓄積手段７、売上データの送信順序の決定手段８、売上データ取得コマンドの送信手段９、売上データの受信手段１０をそれぞれ備えてなる。
【００１６】
一方、対応する各店舗Ａ，Ｂ，Ｃに設置される金銭登録機ａ１，ａ２，ａ３，ｎ１，ｎ２あるいは商品販売登録データ処理装置Ｐｏｓｂ１，Ｐｏｓｂ２は、例えば１日の終わりの閉店時間（例えば午後８時）や各店舗Ａ，Ｂ，Ｃを統括する本部において決められた時間（１日のうち開店時間から閉店時間までを数時間ごとに分割した各時間帯の終了時間）に、オペレータの締めキーの操作により、あるいは金銭登録機ａ１，ａ２，ａ３，ｎ１，ｎ２、商品販売登録データ処理装置Ｐｏｓｂ１，Ｐｏｓｂ２に内蔵されるコンピュータソフトウェアのプログラム実行（１日のうち開店時間から閉店時間までを数時間ごとに分割した各時間帯の終了時間）に基づき、売上データが当該機器（ａ１，ａ２，ａ３，ｎ１，ｎ２，Ｐｏｓｂ１，Ｐｏｓｂ２）内のメモリ１２に記憶され、保存される。金銭登録機ａ１，ａ２，ａ３，ｎ１，ｎ２あるいは商品販売登録データ処理装置Ｐｏｓｂ１，Ｐｏｓｂ２には、例えば図２に示す通信機１１が備えられ、各通信機１１からネットワークルータ３、インターネット回線４を介して、サーバ２との間でデータの送受信を可能としている。
【００１７】
金銭登録機ａ１，ａ２，ａ３，ｎ１，ｎ２あるいは商品販売登録データ処理装置Ｐｏｓｂ１，Ｐｏｓｂ２において集計される売上データとしては、１日当たりの全取引の売上金額を集計した売上データ（日計売上）、時間帯（例えば開店時間から閉店時間までを数時間ごとに分割した各時間帯）ごとの全取引の売上金額を集計した売上データ（時間帯売上）、商品の部門（例えば食品、日用品、雑貨等）ごとの全取引の売上金額を集計した売上データ（部門別売上）、商品名ごとの全取引の売上金額を集計した売上データ（品番別売上）がある（図２参照）。こうした売上データは、各金銭登録機ａ１，ａ２，ａ３，ｎ１，ｎ２あるいは商品販売登録データ処理装置Ｐｏｓｂ１，Ｐｏｓｂ２においてオペレータの締めキーの操作（１日のうち閉店時間後に行われる締めキーの操作）や、金銭登録機ａ１，ａ２，ａ３，ｎ１，ｎ２、商品販売登録データ処理装置Ｐｏｓｂ１，Ｐｏｓｂ２に内蔵されるコンピュータソフトウェアのプログラム実行（１日のうち閉店時間後一定時間経過後あるいは１日のうち開店時間から閉店時間までを数時間ごとに分割した各時間帯の終了時間後に実行）に基づいて生成されるものとし、図２に示すように一旦、金銭登録機ａ１，ａ２，ａ３，ｎ１，ｎ２、商品販売登録データ処理装置Ｐｏｓｂ１，Ｐｏｓｂ２内のメモリ１２内の売上データ記憶手段１３において記憶され、保存されるようにしている。さらに、各金銭登録機ａ１，ａ２，ａ３，ｎ１，ｎ２、商品販売登録データ処理装置Ｐｏｓｂ１，Ｐｏｓｂ２においては、売上データが生成され、該データの集計が完了している旨を各金銭登録機ａ１，ａ２，ａ３，ｎ１，ｎ２、商品販売登録データ処理装置Ｐｏｓｂ１，Ｐｏｓｂ２に対応するＭａｃＡｄｄｒｅｓｓと送信元に係る識別情報（ＩＰアドレス）とがサーバ２に向けて送信されるように設定している。
【００１８】
複数の店舗に設置される金銭登録機ａ１，ａ２，ａ３，ｎ１，ｎ２、商品販売登録データ処理装置Ｐｏｓｂ１，Ｐｏｓｂ２において生成されて、メモリ12に保存される売上データは、インターネット回線４を介してサーバ２に向けて送信され、サーバ２売上データの処理システム１は、対応する機器（ａ１，ａ２，ａ３，ｎ１，ｎ２，Ｐｏｓｂ１，Ｐｏｓｂ２）から送信された売上データを順次蓄積し、あるいは集計してサーバ２内のメモリ１４に記憶させるようにしている（図２参照）。
【００１９】
サーバ２内のＣＰＵ１５は、図２に示すように対応する各店舗Ａ，Ｂ，Ｃに設置される金銭登録機ａ１，ａ２，ａ３，ｎ１，ｎ２あるいは商品販売登録データ処理装置Ｐｏｓｂ１，Ｐｏｓｂ２を統括するため、それぞれの金銭登録機ａ１，ａ２，ａ３，ｎ１，ｎ２、商品販売登録データ処理装置Ｐｏｓｂ１，Ｐｏｓｂ２についてのＭａｃＡｄｄｒｅｓｓとＩＰアドレスを設定し、対応する機器（ａ１，ａ２，ａ３，ｎ１，ｎ２，Ｐｏｓｂ１，Ｐｏｓｂ２）との間でデータの送受信を実行可能としている。
【００２０】
サーバ２において設定される売上データの処理システム１は、先ず統括する各店舗Ａ，Ｂ，Ｃに設置される金銭登録機ａ１，ａ２，ａ３，ｎ１，ｎ２あるいは商品販売登録データ処理装置Ｐｏｓｂ１，Ｐｏｓｂ２において生成され、集計された売上データを、次のプロセスにより取得するようにしている。
【００２１】
売上データの処理システム１は、先ず集計完了済信号受信手段５において、統括する金銭登録機ａ１，ａ２，ａ３，ｎ１，ｎ２、商品販売登録データ処理装置Ｐｏｓｂ１，Ｐｏｓｂ２のうち、対応する金銭登録機ａ１，ａ２，ａ３，ｎ１，ｎ２、商品販売登録データ処理装置Ｐｏｓｂ１，Ｐｏｓｂ２から売上データの集計が完了している旨の信号を受信しているか否かを判別し、処理の実行を開始するようにしている。信号の受信が完了しているかどうかは、処理システム１において、図３の表中の「集計完了済信号の有無」に示すように、各機器（ａ１，ａ２，ａ３，ｎ１，ｎ２，Ｐｏｓｂ１，Ｐｏｓｂ２）とそのＭａｃＡｄｄｒｅｓｓ並びにＩＰアドレスとともに判別を実行するようにしている。
【００２２】
集計完了済信号受信手段５において、対応する金銭登録機ａ１，ａ２，ａ３，ｎ１，ｎ２、商品販売登録データ処理装置Ｐｏｓｂ１，Ｐｏｓｂ２から集計完了済信号が受信され、図３の表中の「集計完了済信号の有無」が有の状態にある金銭登録機ａ１，ａ２，ａ３，ｎ１，ｎ２、商品販売登録データ処理装置Ｐｏｓｂ１，Ｐｏｓｂ２に対しては、次に売上データの処理システム１の通信応答時間の計測手段６が実行される。通信応答時間の計測手段６は、「集計完了済信号の有無」が有の状態にある金銭登録機ａ１，ａ２，ａ３，ｎ１，ｎ２、商品販売登録データ処理装置Ｐｏｓｂ１，Ｐｏｓｂ２に対し、ネットワークルータ３、インターネット回線４を介して通信状態確認信号を発信し（図４のフローチャートのｓｔｅｐ１）、該対応する金銭登録機ａ１，ａ２，ａ３，ｎ１，ｎ２、商品販売登録データ処理装置Ｐｏｓｂ１，Ｐｏｓｂ２から通信状態確認信号に対する応答信号を受信して、通信応答時間を計測するようにしている（図４のフローチャートのｓｔｅｐ２）。このため、各金銭登録機ａ１，ａ２，ａ３，ｎ１，ｎ２、商品販売登録データ処理装置Ｐｏｓｂ１，Ｐｏｓｂ２においては、予めサーバ２側から発信された通信状態確認信号が受信された場合において、応答信号を発信する旨のプログラムを有している。こうして通信応答時間の計測手段６において計測された対応する各機器（ａ１，ａ２，ａ３，ｎ１，ｎ２，Ｐｏｓｂ１，Ｐｏｓｂ２）との通信応答時間は、図３の表中の「集計完了済信号の有無」に示すように、各機器（ａ１，ａ２，ａ３，ｎ１，ｎ２，Ｐｏｓｂ１，Ｐｏｓｂ２）とそのＭａｃＡｄｄｒｅｓｓ、ＩＰアドレスとともにサーバ２のＣＰＵ１５が認識することとなる。
【００２３】
こうして認識された通信応答時間は、売上データの処理システム１の通信応答時間の蓄積手段７が、各機器（ａ１，ａ２，ａ３，ｎ１，ｎ２，Ｐｏｓｂ１，Ｐｏｓｂ２）ごとのデータとしてサーバ２のメモリ１４に一旦記憶し、蓄積させるようにしている。この際、サーバ２は、各機器（ａ１，ａ２，ａ３，ｎ１，ｎ２，Ｐｏｓｂ１，Ｐｏｓｂ２）においてスタンバイされている売上データのファイルリストを受信し、該ファイルリストを前回対応する機器（ａ１，ａ２，ａ３，ｎ１，ｎ２，Ｐｏｓｂ１，Ｐｏｓｂ２）から送信された売上データのファイルリストと比較して取得する売上データの判別を実行するようにしている                                          （図４のフローチャートのｓｔｅｐ３）。
【００２４】
次に売上データの処理システム１の売上データの送信順序の決定手段８は、上記通信応答時間の蓄積手段７で記憶され、蓄積された通信応答時間のうち、通信応答時間の長短に基づき、売上データの生成、集計が完了している金銭登録機ａ１，ａ２，ａ３，ｎ１，ｎ２あるいは商品販売登録データ処理装置Ｐｏｓｂ１，Ｐｏｓｂ２からの売上データの送信順序を決定することとなる（図４のフローチャートのｓｔｅｐ４）。例えば、図３に示す表では、金銭登録機ａ３が最も通信応答時間が８ｍｍ  ｓｅｃと短いため、最先の送信順序に決定されることとなり、次に通信応答時間が短い金銭登録機ａ１，ａ２と送信順序に決定されることとなる。
【００２５】
こうして売上データの送信順序の決定手段８で決定された金銭登録機ａ１，ａ２，ａ３，ｎ１，ｎ２あるいは商品販売登録データ処理装置Ｐｏｓｂ１，Ｐｏｓｂ２別の送信順序が決定されると、次に売上データの処理システム１の売上データ取得コマンドの送信手段９が決定された送信順序に基づき、サーバ２が対応する金銭登録機ａ１，ａ２，ａ３，ｎ１，ｎ２あるいは商品販売登録データ処理装置Ｐｏｓｂ１，Ｐｏｓｂ２に対してアクセスし、該アクセスされた機器（ａ１，ａ２，ａ３，ｎ１，ｎ２，Ｐｏｓｂ１，Ｐｏｓｂ２）内のメモリ１２に記憶、保存され、スタンバイ状態にある売上データを取得して受信するようにする。すなわち、売上データ取得コマンドの送信手段９は、決定された最先の金銭登録機ａ１，ａ２，ａ３，ｎ１，ｎ２あるいは商品販売登録データ処理装置Ｐｏｓｂ１，Ｐｏｓｂ２に対し、ネットワークルータ３、インターネット回線４を介して売上データ取得コマンドに係る信号を発信することとなる。
【００２６】
こうした売上データ取得コマンドの送信手段９からの売上データ取得コマンドに係る信号に応答する状態で、売上データの処理システム１の売上データの受信手段１０は、対応する最先の金銭登録機ａ１，ａ２，ａ３，ｎ１，ｎ２あるいは商品販売登録データ処理装置Ｐｏｓｂ１，Ｐｏｓｂ２から売上データを受信することとなり、受信された売上データは順次サーバ２内のメモリ１４に記憶されることとなる。
【００２７】
実施形態において、通信応答時間の蓄積手段７は、記憶され、蓄積される対応する金銭登録機ａ１，ａ２，ａ３，ｎ１，ｎ２、商品販売登録データ処理装置Ｐｏｓｂ１，Ｐｏｓｂ２との通信応答時間の長短の他、前回、前々回における対応する金銭登録機ａ１，ａ２，ａ３，ｎ１，ｎ２、商品販売登録データ処理装置Ｐｏｓｂ１，Ｐｏｓｂ２との通信応答時間の長短についても記憶し、蓄積するようにしている。
【００２８】
送信順序の決定手段８は、こうして通信応答時間の蓄積手段７において記憶し、蓄積された金銭登録機ａ１，ａ２，ａ３，ｎ１，ｎ２、商品販売登録データ処理装置Ｐｏｓｂ１，Ｐｏｓｂ２との過去３回の通信応答時間の長短を考慮し、例えば図３に示すようにこれらのデータの平均値に基づき、売上データの集計が完了している金銭登録機ａ１，ａ２，ａ３，ｎ１，ｎ２、商品販売登録データ処理装置Ｐｏｓｂ１，Ｐｏｓｂ２からの売上データの送信順序を決定することとしてもよい。
【００２９】
例えば、図３に示す表では、金銭登録機ａ３が過去３回分の通信応答時間の平均値１０．３ｍｍ  ｓｅｃと最も短いため、最先の送信順序に決定されることとなり、次に過去３回分の通信応答時間が短い金銭登録機ａ１，ｎ１と送信順序が決定されることとなる。なお、送信順序の決定手段８は、こうして通信応答時間の蓄積手段７において記憶し、蓄積された金銭登録機ａ１，ａ２，ａ３，ｎ１，ｎ２、商品販売登録データ処理装置Ｐｏｓｂ１，Ｐｏｓｂ２との過去３回の通信応答時間の平均値の他、標準偏差その他の統計手法により送信順序を決定するようにしてもよい。さらに過去３回以上（例えば過去４回、５回、６回）の対応する機器（ａ１，ａ２，ａ３，ｎ１，ｎ２，Ｐｏｓｂ１，Ｐｏｓｂ２）に対する通信応答時間の平均値や標準偏差等に基づき、送信順序を決定することとしてもよい。
【００３０】
対応する金銭登録機ａ１，ａ２，ａ３，ｎ１，ｎ２あるいは商品販売登録データ処理装置Ｐｏｓｂ１，Ｐｏｓｂ２から受信された売上データに関しては、上記実施形態に示すように、順次サーバ２内のメモリ１４に記憶される他、さらに全店舗、各エリアごとに集計されて集計売上データとしてサーバ２内のメモリ１４に記憶されることとなる。こうした売上データあるいは集計売上データに対し、サーバ２の外部からアクセスがなされた場合、該アクセス対象がサーバ２は予めサーバ２内のメモリ１４に予め記憶された通信端末機器および通信ＩＤからのアクセスである否かを認証するようにしている。
【００３１】
すなわち、サーバ２には、サーバ２内のメモリ１４に記憶される各店舗の売上データあるいは集計売上データに対し、アクセスできるアクセス者に関するデータが記憶され、アクセス者が予め記憶された者かどうかを判別し、各店舗の売上データあるいは集計売上データについての外部送信の可否決定を実行する外部送信判別手段１６が備えられる（図１参照）。例えばアクセス者として、図５に示すように「店舗エリアマネージャー」、「店長Ａ」、「店長Ｂ」、「店長Ｎ」、「購買責任者」のみが許容される場合、これらのアクセス者の対応するログインＩＤ（通信端末機器のＩＤ）、パスワード（通信ＩＤ）が予めメモリ１４に記憶されることとなる。サーバ２の外部送信判別手段１６は、メモリ１４内に記憶されたログインＩＤ（通信端末機器のＩＤ）、パスワード（通信ＩＤ）からのアクセスかどうかに基づき、メモリ１４内に記憶された売上データあるいは集計売上データの送信（ダウンロード）の可否の決定を実行するようにしている。こうしたサーバ２の外部送信判別手段１６の判別、認証に基づき、「店舗エリアマネージャー」、「店長Ａ」、「店長Ｂ」、「店長Ｎ」、「購買責任者」などのアクセス者は、図１に示すようにサーバ２内に記憶される各店舗の売上データあるいは集計売上データについて、保有するスマートホン１７やタブレット携帯１８等の機器でアクセスし、リアルタイムで知ることができ、利便性、安全性に優れた売上データの処理システム１の提供が可能となる。
【００３２】
以上のように、本実施形態に係る売上データの処理システム１は、簡易な手段により、各店舗の金銭登録機や商品販売登録データ処理装置において集計された売上データをサーバ２が効率的に受信し、さらにサーバ２において安全に蓄積管理することできる。
【産業上の利用可能性】
【００３３】
以上のように、本発明に係る売上データの処理システムは、大規模なチェーンストアのサーバコンピュータはもちろん、数台の金銭登録機を備えた比較的小規模な店舗のサーバコンピュータに設定することも可能とされ、さらにサーバに蓄積された各金銭登録機や商品販売登録データ処理装置において集計された売上データを、例えば外部のスマートホンやタブレット端末から安全に確認することも可能なため、極めて利便性が高く安全なものとされる。
【符号の説明】
【００３４】
１                                  売上データの処理システム
２                                  サーバ
３                                  ネットワークルータ
４                                  インターネット回線
ａ１，ａ２，ａ３，ｎ１，ｎ２        金銭登録機
Ｐｏｓ１，Ｐｏｓ２                  商品販売登録データ処理装置
５                                  集計完了済信号受信手段
６                                  通信応答時間の計測手段
７                                  通信応答時間の蓄積手段
８                                  売上データの送信順序の決定手段
９                                  売上データ取得コマンドの送信手段
１０                                売上データの受信手段
１１                                通信機
１２，１４                          メモリ
１３                                売上データ記憶手段
１５                                ＣＰＵ
１６                                外部送信判別手段
１７                                スマートホン
１８                                タブレット携帯
【図１】
0006346816.tif 000002
【図２】
0006346816.tif 000003
【図３】
0006346816.tif 000004
【図４】
0006346816.tif 000005
【図５】
0006346816.tif 000006